(57)【要約】      （修正有）【課題】手で書いても清潔で、環境保護に適し、便利で重複使用できる感圧お絵かきボード構造を提供する。【解決手段】感圧お絵かきボード構造は、静電膜１１０及び透明ソフトシート１５０を含む。静電膜は上表面を備え、透明ソフトシートは選択的に上表面に貼り付け、静電膜と透明ソフトシートのうちの少なくともどちらか一つは色を備える。透明ソフトシートを静電膜に貼り付けると、絵描跡もしくは筆跡が表れる。また、透明ソフトシートを静電膜から分離すると、絵描跡もしくは筆跡が消える。【選択図】図３
0003207693.tif 000002
【実用新案登録請求の範囲】
【請求項１】
主に上表面を備える静電膜と、
上表面に選択的に貼り付ける透明ソフトシートから構成された感圧お絵かきボード構造において、
該静電膜と該透明ソフトシートのうち、少なくともどちらか一つには色を備えることを特徴とする感圧お絵かきボード構造。
【請求項２】
前記静電膜は、色を備え，該静電膜の内部は顔料、蛍光粉もしくは蛍光剤を混ぜることを特徴とする請求項１記載の感圧お絵かきボード構造。
【請求項３】
前記静電膜は、色を備え、該静電膜は透明材で構成し、該静電膜は下表面を備え、該下表面は色層を覆うことを特徴とする請求項１記載の感圧お絵かきボード構造。
【請求項４】
前記透明ソフトシートは、色を備えないことを特徴とする請求項２もしくは３記載の感圧お絵かきボード構造。
【請求項５】
前記透明ソフトシートは、色を備え、該透明ソフトシートの内部は顔料、蛍光粉もしくは蛍光剤を混合することを特徴とする請求項１もしくは２もしくは３記載の感圧お絵かきボード構造。
【請求項６】
前記感圧お絵かきボード構造は、更に支持板を含み、該静電膜は、該支持板に固定し、該静電膜は、下表面を備え、該下表面は該支持板に埋込設置し、該上表面は該支持板に露出設置することを特徴とする請求項１記載の感圧お絵かきボード構造。
【請求項７】
前記支持板は、凹槽を設置し、該静電膜は該凹槽内に納置することを特徴とする請求項６記載の感圧お絵かきボード構造。
【請求項８】
前記感圧お絵かきボード構造は、更に滑動桿を含み、該支持板は該凹槽に連通する滑動槽を設置し、該滑動桿は該滑動槽に挿入して設置し、且つ該静電膜と該透明ソフトシートの間に設置し、該滑動桿は該滑動槽によって該静電膜及び該透明ソフトシートの間で滑動移動することを特徴とする請求項７記載の感圧お絵かきボード構造。
【請求項９】
前記滑動桿の一端は、該滑動槽から突出し、且つ該支持板から露出することを特徴とする請求項８記載の感圧お絵かきボード構造。
【請求項１０】
前記透明ソフトシートの相対する両側はそれぞれ凸出端及び結合端を備え、該凸出端は該静電膜から突出し、該結合端は該支持板もしくは該静電膜に固定接続することを特徴とする請求項６記載の感圧お絵かきボード構造。
【請求項１１】
前記感圧お絵かきボード構造は、更に少なくとも一模様ページを含み、該模様ページは、該透明ソフトシートに重ねて設置し、該模様ページは、該透明ソフトシートに対応して配置する透かし槽を設置することを特徴とする請求項１記載の感圧お絵かきボード構造。
【請求項１２】
前記透明ソフトシートの形状と該透かし槽の形状は相互に対応することを特徴とする請求項１１記載の感圧お絵かきボード構造。
【考案の詳細な説明】
【技術分野】
【０００１】
本考案は、重複使用するお絵かきボード構造に関するもので、且つ特に一種の感圧お絵かきボード構造に係る。
【背景技術】
【０００２】
一般的に学齢前の子供には、創意及び智力を啓発するべき時期がある。遊戯教具の使用によって、彼らの好奇心を引き出し、施行する気持ちを刺激する。今日、よく見かける子供のお絵かき装置には、絵図の磁板の中に磁粉及びお絵かきペン前端に設置した磁石吸引磁粉を配置し、磁板上でお絵かき塗り絵を描く。
子供達が自由に塗り絵をすることによって、子供の無限の想像力、創意を啓発し、子供の身体の敏捷さと智力を高め、同時に乳幼児の視覚を刺激して観察力を高め、子供達の形状と色の認知力と線画能力を養う。
【０００３】
従来の磁板は、およそ内部に磁粉を設置した画板及びペン先に磁石を設置したお絵かきペンから構成される。使用時にはお絵かきペンで画板上に絵や字を描く。磁粉を吸引することで、画板上に絵を描いた跡もしくは筆跡が残り、消す時には内部に設置した消し板で画板上に集まった軌跡の磁粉を剥がし落とすことで、重複して使用できる。
【先行技術文献】
【特許文献】
【０００４】
【特許文献１】特開２００５−３０５７３９号公報
【考案の概要】
【考案が解決しようとする課題】
【０００５】
解決しようとする問題点は、現在ある画板に表れる字や絵の跡は太さが均一でないため、一定期間使用すると、画板が磁粉の反覆吸着、剥落、もしくは部分的に落とせない磁粉が吸着し、画板が薄黒くなって汚くなり、使用が理想的でなくなる点である。
【０００６】
本考案者は、上述の現在の技術に対して、特別に研究し、学理の運用を経て上述の問題点を解決することを目標とする。
【課題を解決するための手段】
【０００７】
本考案は、静電膜及び透明ソフトシートを含む。静電膜は上表面を備え、透明ソフトシートは選択的に上表面に貼り付け、静電膜と透明ソフトシートのうちの少なくともどちらか一つは色を備える。
これらに拠って、透明ソフトシートを静電膜に貼り付けると、つまり絵描跡もしくは筆跡が表れる。また、透明ソフトシートを静電膜から分離すると、絵描跡もしくは筆跡が消えることを最も主要な特徴とする。
【考案の効果】
【０００８】
本考案の感圧お絵かきボード構造は、使用者は手で書いても清潔で、環境保護に適し、便利で重複使用できるという利点がある。
【０００９】
本考案は、更に以下の効果を備える。感圧お絵かきボード構造は、製作時に静電膜もしくは透明ソフトシートのうちの一つを選んで色を備え、更に感圧お絵かきボード構造は製造過程の変更がしやすく、製作コストを節約する。
【００１０】
本考案は、更に以下の効果を備える。感圧お絵かきボード構造は、更に支持板を備え、静電膜は支持板に固定し、使用者に逆作用力を提供して絵を書きやすくする。
【００１１】
本考案は、更に以下の効果を備える。感圧お絵かきボード構造は、更に模様ページを備え、模様ページは透明ソフトシート上に重ねて設置し、模様ページは豊富な図案、図画もしくは範例の内ページをデザインでき、使用者は必要な内ページもしくは根據異なる範例的模様ページは直接絵を描く練習をしたり、隨意畫出各種色の顔と図画の随時書き出しを選択できる。
【図面の簡単な説明】
【００１２】
【図１】本考案の感圧お絵かきボード構造の第一実施例の立体分解図である。
【図２】本考案の感圧お絵かきボード構造の第一実施例の使用状態指示図である。
【図３】本考案の感圧お絵かきボード構造の第一実施例の別の使用状態指示図である。
【図４】本考案の感圧お絵かきボード構造の第二実施例の立体組立図である。
【図５】本考案の感圧お絵かきボード構造の第三実施例の立体組立図である。
【図６】本考案の感圧お絵かきボード構造の第四実施例の立体組立図である。
【図７】本考案の感圧お絵かきボード構造の第五実施例の立体分解図である。
【考案を実施するための形態】
【００１３】
透明ソフトシートを静電膜に貼り付けると、つまり絵描跡もしくは筆跡を表す。透明ソフトシートを静電膜から分離すると、つまり絵描跡もしくは筆跡を消す。使用者は手で絵を書くことができ、感圧お絵かきボード構造は清潔で、環境保護に適し、便利で重複使用できる長所を達成する感圧お絵かきボード構造を提供することを本考案の目的とする。
【００１４】
上述の目的を達成するため、本考案は感圧お絵かきボード構造を提供し、それは上表面を備える静電膜と透明ソフトシートを含み、選択的に該上表面に貼り付け、該静電膜と該透明ソフトシートのうちの少なくともどちらか一つは色を備える。
【実施例１】
【００１５】
本考案の詳細な説明及び技術内容は図式と共に以下のとおりであるが、図式は説明のためのものであり、本考案請求項を制限するものではない。
【００１６】
図１から図３に示すとおり、本考案は感圧お絵かきボード構造の第一実施例を提供する。この感圧お絵かきボード構造１００は、主に静電膜１１０及び透明ソフトシート１５０を含む。
【００１７】
静電膜１１０は、相互に対応する上表面１２０及び下表面１３０を備え、透明ソフトシート１５０は上表面１２０に選択的に貼り付けたり、上表面１２０に選択的に分離したりすることで、静電膜１１０と透明ソフトシート１５０の間に静電原理を用いて貼り付けたり、外力で分離したりする。
【００１８】
詳細な説明は以下のとおりである。静電膜１１０と透明ソフトシート１５０のうちの少なくともどちらか一つは色を備える。図１から図３の第一実施例に示すとおり、透明ソフトシート１５０内部は顔料、蛍光粉もしくは蛍光剤を混合して透明ソフトシート１５０に色を備えさせる。そのうち、透明ソフトシート１５０はポリ塩化ビニル（PolyVinyl Chloride，PVC）等の透明プラスチック軟質材から構成される。
【００１９】
その他、透明ソフトシート１５０の良好な実施色は、紫色、黄緑色、ピンク色もしくはオレンジ色であり、静電膜１１０と合わせて表れる絵を描いた時の効果が最も良い。しかし、その他異なる実施例において、透明ソフトシート１５０の色は黄色、赤、もしくはその他適する色でもよく、限定しない。
【００２０】
本考案の感圧お絵かきボード構造１００は、更に支持板１７０を含む。支持板１７０は机板、床板、型紙板、もしくはプラスチック板でもよい。支持板１７０には凹槽１７２を設置し、静電膜１１０は凹槽１７２内に納置し、静電膜１１０を支持板１７０に固定する。下表面１３０は支持板１７０に埋込設置し、上表面１２０は支持板１７０に露出して設置し、支持板１７０は使用者が逆作用力によって便利に絵を描く。
【００２１】
そのうち、支持板１７０の形状は、可愛い動物造型、アニメキャラクター造型もしくはその組み合わせ等幾何形状でもよく、当実施例に制限されず、使用者が楽しんで塗り絵をしたり、学習欲や楽しみを刺激する。
【００２２】
その他、透明ソフトシート１５０の相対する両側はそれぞれ凸出端１５２及び結合端１５４を備え、凸出端１５２は静電膜１１０から凸出し、結合端１５４は支持板１７０もしくは静電膜１１０に固定し、透明ソフトシート１５０を凸出端１５２から結合端１５４まで起こし、静電膜１１０と相互に分離すると、描いた痕跡を、図案もしくは文字等をスピーディに消す。
【００２３】
本考案の感圧お絵かきボード構造１００の組立は、上表面１２０を備える静電膜１１０を利用し、透明ソフトシート１５０は上表面１２０に選択的に貼り付け、静電膜１１０と透明ソフトシート１５０のうちの少なくともどちらか一つは色を備える。
【００２４】
本考案の感圧お絵かきボード構造１００の使用状態について、更に一歩説明すると、透明ソフトシート１５０を静電膜１１０に貼り付けると、絵描跡もしくは筆跡が表れ、それによって静電感応効果が透明ソフトシート１５０上に相応する図案図案、文字もしくは其組合が表れる。透明ソフトシート１５０を静電膜１１０から剥がすと、絵描跡もしくは筆跡が消え、それによって感圧お絵かきボード構造１０は清潔で、環境保護に適し、便利で重複使用できる長所を備える。
【００２５】
更に、本考案の感圧お絵かきボード構造１００は手で絵を描いても、家や手を汚さず、更に感圧お絵かきボード構造１００は清潔で、環境保護に適し、便利で重複使用できる長所を備える。また、感圧お絵かきボード構造１００はペンもしくはその他工具で絵を描いてもよく、使用者は感圧お絵かきボード構造１００の楽しみが増す。
【実施例２】
【００２６】
図４に示すのは、本考案の感圧お絵かきボード構造１００の第二実施例である。第二実施例と第一実施例はほぼ同じであるが、第二実施例と第一実施例の異なるの点として、感圧お絵かきボード構造１００は更に滑動桿１８０を備える。
【００２７】
以下に詳細を説明する。支持板１７０一側には凹槽１７２に連通する滑動槽１７４を設置し、滑動桿１８０を滑動槽１７４に差し込んで設置し、且つ静電膜１１０と透明ソフトシート１５０の間に設置する。滑動桿１８０は滑動槽１７４の静電膜１１０及び透明ソフトシート１５０の間で滑動移動する。且つ滑動桿１８０の一端は、滑動槽１７４から突出し、且つ支持板１７０から露出する。拠って使用者は滑動槽１７４に沿って滑動桿１８０を動かしやすく、滑動桿１８０が静電膜１１０及び透明ソフトシート１５０の間を滑動移動することで静電膜１１０と透明ソフトシート１５０が分離し、スピーディに描いた絵、図案もしくは文字の痕跡が消える。
【実施例３】
【００２８】
図５から図６に示すのは、本考案の感圧お絵かきボード構造１００の第三、四実施例である。第三、四実施例と第一実施例はおよそ同じであるが、第三、四実施例と第一実施例と異なる点は、感圧お絵かきボード構造１００が更に一もしくは複数の模様ページ１９０を含む。
【００２９】
図５に示すとおり、感圧お絵かきボード構造１００は更に模様ページ１９０を含む。模様ページ１９０は、透明ソフトシート１５０上に重ねて設置し、模様ページ１９０は透明ソフトシート１５０に対応して配置した透かし槽１９２を設置する。
【実施例４】
【００３０】
図６に示すとおり、感圧お絵かきボード構造１０は、更に複数の模様ページ１９０を含み、複数の模様ページ１９０は透明ソフトシート１５０上に順に重ねて設置し、複数の模様ページ１９０は透明ソフトシート１５０に対応して配置した透かし槽１９２を合わせて設置する。そのうち、透明ソフトシート１５０の形状と透かし槽１９２の形状は相互に対応する。
【００３１】
第三、四実施例は、これにより、各模様ページ１９０は、豊富な図案、図画もしくは範例の内ページをデザインでき、使用者が必要な内ページを選択したり、異なる範例に基づく模様ページ１９０は直接絵描を描いたり、各種カラーの顔や絵図を描き、使用者は何回でも絵を描いたり、何回も感圧お絵かきボード構造１００に描くことができる。これらに拠って、使用者の視覚を刺激し、観察力を高め、使用者の形状や色の認知力を育て、使用者と保護者の交流を更に高める。
【００３２】
その他、模様ページ１９０の一端は透明ソフトシート１５０の結合端１５４と相互に粘着固定し、別一端の相対する凸出端１５２は相対する支持板１７０からめくるために設置する。各模様ページ１９０の外型と支持板１７０の形状は相互に対応するか、もしくは対応せずに設置するか、且つそのサイズも限定しない。
【実施例５】
【００３３】
図７は、本考案の感圧お絵かきボード構造１００の第五実施例である。第五実施例と第一実施例はほぼ同じであるが、第五実施例と第一実施例が異なる箇所は静電膜１１０に色を備える。
【００３４】
詳細として、静電膜１１０内部は顔料、蛍光粉もしくは蛍光剤を混合して静電膜１１０に色を備える。もしくは、静電膜１１０は透明材質として構成してもよい。静電膜１１０の下表面１３０は色層で覆うことによって静電膜１１０が色を備える。これらによって、静電膜１１０は色を備えるため、透明ソフトシート１５０も色を備えるか（第一実施例参照）、もしくは色を備えないこともある。更に上述両者の透明ソフトシート１５０は静電膜１１０に貼り付ける。即ち絵描跡もしくは筆跡が残り、第一実施例の機能及び効果を同じく備える。
【００３５】
その他、図１から図３、図７に示すとおり、静電膜１１０と透明ソフトシート１５０のうちの少なくともどちらか一つは色を備える。それは即ち、透明ソフトシート１５０が静電膜１１０に貼り付けることで絵描跡もしくは筆跡の効果が達成される。感圧お絵かきボード構造１０は、製作時に静電膜１１０もしくは透明ソフトシート１５０のうちの一つに色を備えることを選択でき、更に感圧お絵かきボード構造１０は製作工程を変更し、製作コストを節約するという特徴を備える。
【００３６】
上述のとおり、本考案の感圧お絵かきボード構造は、予定の使用目的を達成し、公知の欠点を改善する。更に産業利用性、新規性と進歩性を備え、実用新案登録申請の要件を備える。
【符号の説明】
【００３７】
１００      感圧お絵かきボード構造
１１０      静電膜
１２０      上表面
１３０      下表面
１５０      透明ソフトシート
１５２      凸出端
１５４      結合端
１７０      支持板
１７２      凹槽
１７４      滑動槽
１８０      滑動桿
１９０      模様ページ
１９２      透かし槽
【図１】
0003207693.tif 000003
【図２】
0003207693.tif 000004
【図３】
0003207693.tif 000005
【図４】
0003207693.tif 000006
【図５】
0003207693.tif 000007
【図６】
0003207693.tif 000008
【図７】
0003207693.tif 000009